(57)【要約】【課題】作業者が自分の頭より高い位置で荷締め作業を行う時、ベルトの長さを調整及びレバーの回動作業を楽にするラチェット式ベルト荷締め機。【解決手段】ハンドルバーを設けたレバーと、ベルトの一端を固定する巻止め軸を設けた荷締め機本体、レバーのハンドルバー他端と荷締め機本体の巻止め軸他端を挿通し、レバーと荷締め機本体を相対的に回動可能に連結した巻取り軸、巻取り軸と共周り可能に、巻取り軸に備えられたラチェットギア、レバーに備えられラチェットギアと弾性的に噛合し、一方向にラチェットギアを回動可能に備えられた巻取り噛合板と、荷締め機本体に備えられ、巻取り軸が緩み方向に回ることを防止するよう、ラチェットギアに弾性的に噛合する逆転防止板とからなるベルト荷締め機であって、前記ラチェットギアは巻取り軸に対して、レバーをハンドルに対し、閉じる方向に回動する事で同方向に回転する向きに取り付けた。【選択図】図１
2013083337.tif 000002
【特許請求の範囲】
【請求項１】
ハンドルバーを設けたレバーと、ベルトの一端を固定する巻止め軸を設けた荷締め機本体、レバーのハンドルバー他端と荷締め機本体の巻止め軸他端を挿通し、レバーと荷締め機本体を相対的に回動可能に連結した巻取り軸、巻取り軸と共周り可能に、巻取り軸に備えられたラチェットギア、レバーに備えられラチェットギアと弾性的に噛合し、一方向にラチェットギアを回動可能に備えられた巻取り噛合板と、荷締め機本体に備えられ、巻取り軸が緩み方向に回ることを防止するよう、ラチェットギアに弾性的に噛合する逆転防止板とからなるベルト荷締め機であって、前記ラチェットギアは巻取り軸に対して、レバーをハンドルに対し閉じる方向に回動する事で同方向に回転する向きに取り付けられたことを特徴とするベルト荷締め機。
【発明の詳細な説明】
【技術分野】
【０００１】本発明は、ラチェット機構を利用して巻取り軸を一方向に間欠的に回転させて、ベルトを巻き取って、荷物等を締め付ける、ラチェット式ベルト荷締め機に関するものである。
【背景技術】
【０００２】従来ラチェット機構を利用したラチェット式ベルト荷締め機は、特許文献１に示されるように、ベルトの一端を固定した荷締め器本体に対して、レバーを前後に回動することで、ベルトの他端を保持する巻取り軸をレバーを荷締め器本体に対して開く方向と同方向に回転させるラチェット機構を構成したものであり、荷締め機本体とレバーにはそれぞれラチェットギアにスプリング等により弾性的に噛合する逆転防止板と巻取り噛合板が設けられ、レバーに設けられた巻取り噛合板をラチェットギアに噛合させて、レバーを荷締め機本体に対して開く方向に回動させることで、巻取り軸が同方向に回転し、ベルトを巻取り締め付けていくものである。【０００３】
【先行技術文献】
【特許文献１】  特開２００８−２９８０９６公報
【発明の概要】
【発明が解決しようとする課題】
【０００４】上記のようにレバーを荷締め機本体に対して開く方向に回動させることでベルトを巻取り、荷物等を締め付けるラチェット式ベルト荷締め機においては、作業者が自分の頭より上の位置で荷締め作業を行う場合であって、ラチェット式ベルト荷締め機の巻止め軸が作業者側にあり、巻取り軸が作業者の反対側に有る場合、ベルトの長さを調整するには、長くするにせよ、短くするにせよ鉛直上向き方向にベルトを送る必要があるため、作業性が困難であり、また、レバーを押し上げてベルトを巻き取る必要があるので、巻き取り作業時に力がこめにくく、作業性が悪かった。【０００５】本発明は上述した問題を解決するためになされたもので、その目的は、荷締め作業を効率的に行うためのラチェット式ベルト荷締め機を提供することである。
【課題を解決するための手段】
【０００６】ハンドルバーを設けたレバーと、ベルトの一端を固定する巻止め軸を設けた荷締め機本体、レバーのハンドルバー他端と荷締め機本体の巻止め軸他端を挿通し、レバーと荷締め機本体を相対的に回動可能に連結した巻取り軸、巻取り軸と共周り可能に、巻取り軸に備えられたラチェットギア、レバーに備えられラチェットギアと弾性的に噛合し、一方向にラチェットギアを回動可能に備えられた巻取り噛合板と、荷締め機本体に備えられ、巻取り軸が緩み方向に回ることを防止するよう、ラチェットギアに弾性的に噛合する逆転防止板とからなるベルト荷締め機であって、前記ラチェットギアは巻取り軸に対して、レバーをハンドルに対し閉じる方向に回動する事で同方向に回転する向きに取り付けられたことを特徴とするベルト荷締め機。
【発明の効果】
【０００７】荷締め機本体の巻止め軸側、すなわちベルトの固定端側が作業者側にあり、巻取り軸が作業者に遠い側にある場合、ベルトの長さを調整するとき、ベルトを図の矢印側にあるように、作業者側に引張りこんで調整出来るため調整しやすい。また、上記の場合、レバーを閉じる側に回動させてベルトを巻き取る作業を行うため、力が込めやすく作業しやすい。
【図面の簡単な説明】
【０００８】
【図１】本発明のベルト巻き締め器の構成を示した斜視図である。
【図２】本発明のベルト巻き締め器の使用方法である。
【発明を実施する為の形態】
【０００９】以下、本発明の実施の形態を図１に従って説明する。図１にあるように、本発明の構成は、基本的には従来公知のように、ハンドルバー１１を設けたレバー１と、ベルトの一端を固定する巻止め軸２１を設けた荷締め機本体２、レバー１のハンドルバー１１他端と荷締め機本体２の巻き止め軸２１他端を挿通し、レバー１と荷締め機本体２を相対的に回動可能に連結した巻取り軸３、巻取り軸３と共周り可能に巻取り軸３に備えられたラチェットギア４、レバー１に備えられラチェットギア４と弾性的に噛合し、一方向にラチェットギア４を回動可能に備えられた巻取り噛合板５と巻き締め器本体２に備えられ巻取り軸３がベルトの緩み方向に回転することを防止するよう、ラチェットギア４に弾性的に噛合する逆転防止板２２とからなるベルト荷締め機であって、本発明の特徴として、前記ラチェットギア４が巻取り軸に対して、レバー１を巻き締め器本体２に対し、図２のように矢印（閉じる）方向に回動する事で、同方向に回転する向きに巻取り軸３に備えられている。
【実施例】
【００１０】以下、図２を用いて、本発明の特徴であり、その特徴を生かす使用方法を説明する。
従来は巻取り軸に設けた隙間にベルトを通し、レバーを開く方向に回動させることで、レバーに備えられた巻取り軸他端にある巻き止め軸あるいは他の場所に巻き止め軸に挿通他端を固定されたベルトを巻き込み、締めることで荷物等を固定していたが、本発明においては、巻取り軸に設けた隙間にベルトを通し、レバーを閉じる方向に回動させる事で、レバーに備えられた巻取り軸他端にある巻き止め軸あるいは他の場所に巻き止め軸に挿通他端を固定されたベルトを巻き込み、締めることで荷物等を固定する。【００１１】このように本発明を用いることで、作業者が自分の頭より上で作業を行う場合、ベルトを自分の方に引っ張り込むことでベルトの長さを調整することが可能となり、また、レバーを自分の方向に体重をかけて回動させることが可能となる。
【符号の説明】
【００１２】１    レバー
１１    ハンドルバー
１２    巻取り噛合板
２    荷締め機本体
２１    巻止め軸
２２    逆転防止板
３    巻取り軸
４    ラチェットギア
５    ベルト
【図１】
2013083337.tif 000003
【図２】
2013083337.tif 000004